(57)【要約】      （修正有）【課題】衛生用紙の取出し口を中心から外れた位置に設けた場合でも、衛生用紙を取出し口から円滑に取り出せるとともに、取出し口から箱体内部に塵や埃の異物が入り込むのを防止することができ、且つポップアップした衛生用紙を確実に保持するフィルムレス構造の衛生用紙収納箱を得る。【解決手段】衛生用紙を取り出す取出し口１９を上面部６の中心Ｃからいずれか一方の短側面部１１，１２側に片寄った位置に設け、取出し口１９は、取出し口用折れ線２０と、取出し口用折れ線２０の両端に繋がる取出し口用ミシン目２１とで構成される取出し口形成部２２によって囲まれた蓋部２３を有し、取出し口形成部２２は、取出し口用折れ線２０が上面部６の中心Ｃに近い位置となるように配置されており、取出し口用ミシン目２１を破断することにより、蓋部２３が取出し口用折れ線２０をヒンジとして取出し口１９を開閉自在に閉塞するようになっている。【選択図】図１
2018203311.tif 000002
【特許請求の範囲】
【請求項１】
上面部、底面部、一対の長側面部及び一対の短側面部を有する直方体状の紙製箱体内に、ポップアップ式に取り出せるように交互に折り畳まれて積層された衛生用紙が収納される衛生用紙収納箱であって、
前記上面部には、前記衛生用紙を取り出す取出し口が前記上面部の中心からいずれか一方の短側面部側に片寄った位置に設けられ、
前記取出し口は、直線状の取出し口用折れ線と、該取出し口用折れ線の両端に繋がる取出し口用ミシン目とで構成される取出し口形成部によって囲まれた蓋部を有し、
前記取出し口形成部は、前記取出し口用折れ線が前記上面部の中心に近い位置となるように配置されており、
前記取出し口用ミシン目を破断することにより、前記蓋部が前記取出し口用折れ線をヒンジとして前記取出し口を開閉自在に閉塞することを特徴とする衛生用紙収納箱。
【請求項２】
前記取出し口形成部は、前記上面部の短側辺に沿って長い長方形状に形成されており、長方形状に形成された前記取出し口形成部の長辺部の長さは、前記上面部の短側辺の長さに対し５５〜８０％であり、前記取出し口形成部の短辺部の長さは、前記上面部の長側辺の長さに対し１０〜２０％となっており、また、前記取出し口形成部の長辺方向の中心線から前記取出し口形成部から離れた位置にある短側辺までの長さは、前記上面部の長側辺の長さに対して６５〜８５％となっていることを特徴とする請求項１に記載の衛生用紙収納箱。
【請求項３】
前記蓋部には、両端が前記取出し口用折れ線と対向する位置の取出し口用ミシン目に繋がる孔形成用ミシン目が設けられており、前記孔形成用ミシン目を破断することにより、前記蓋部に前記衛生用紙を保持する保持部が形成されることを特徴とする請求項１又は２に記載の衛生用紙収納箱。
【発明の詳細な説明】
【技術分野】
【０００１】
本発明は、ポップアップ式に取り出せるように交互に折り畳まれて積層されたティシュペーパー等の衛生用紙を収納する衛生用紙収納箱に関するものであり、さらに詳しくは、衛生用紙を取り出す取出し口にフィルムを設けないフィルムレス構造の衛生用紙収納箱に関するものである。
【背景技術】
【０００２】
家庭やオフィス等で広く使われているティシュペーパー等の衛生用紙をポップアップ式に取り出せるように交互に折り畳まれて積層された状態で収納する衛生用紙収納箱として、従来より、直方体状或いは立方体状からなる紙製の箱体の上面部に衛生用紙を取り出すための取出し口を設けた衛生用紙収納箱が知られている。
通常、このような衛生用紙収納箱においては、衛生用紙の取り出しやすさから、上面部の中心に取出し口が設けられているため、衛生用紙収納箱を設置する場所や使い方によっては、取出し口を上面部の中心から外れた位置に取出し口を設けた方が便利な場合があり、そのようなものとして、例えば特許文献１に記載の衛生用紙収納箱が提案されている。
【先行技術文献】
【特許文献】
【０００３】
【特許文献１】登録実用新案第３１１６０９８号公報
【発明の概要】
【発明が解決しようとする課題】
【０００４】
しかしながら、上記特許文献１に記載の衛生用紙収納箱においては、取出し口が上面部の中心から外れた位置に設けられているため、取出し口から衛生用紙を取り出すとき、取出し口のうち上面部の中心に近い部分に大きな摩擦力が生じることになる。そのため、特許文献１に記載の衛生用紙収納箱は、上面部の中心に近い取出し口の部分において、大きな負荷が衛生用紙に加わることになり、取出し口から衛生用紙を取り出し難く、また、摩擦により衛生用紙が削られ紙粉が発生し、場合によっては衛生用紙が破れてしまうといった問題がある。特に、紙製の衛生用紙収納箱は、ミシン目を破断して取出し口を開口させるため、取出し口の縁部には、ミシン目を破断したギザギザの破断跡が形成されることになり、この破断跡に衛生用紙が引っ掛かり、前記問題点は顕著なものとなる。
【０００５】
また、特許文献１に記載の衛生用紙収納箱は、切取り片を切り取って形成した取出し口が常に開口した状態にあるため、取出し口にフィルムを設けないフィルムレス構造とした場合には、取出し口から塵や埃の異物が箱体内部に入り込んでしまい、また、取出し口の形状によっては、ポップアップした衛生用紙が箱体内部に落ち込んでしまうといった問題がある。
【０００６】
本発明の目的は、衛生用紙の取出し口を中心から外れた位置に設けた場合でも、衛生用紙を取出し口から円滑に取り出せるとともに、取出し口から箱体内部に塵や埃の異物が入り込むのを防止することができ、且つポップアップした衛生用紙を確実に保持するフィルムレス構造の衛生用紙収納箱を提供することにある。
【課題を解決するための手段】
【０００７】
上記の目的を達成するために、請求項１に記載の発明は、上面部、底面部、一対の長側面部及び一対の短側面部を有する直方体状の紙製箱体内に、ポップアップ式に取り出せるように交互に折り畳まれて積層された衛生用紙が収納される衛生用紙収納箱であって、前記上面部には、前記衛生用紙を取り出す取出し口が前記上面部の中心からいずれか一方の短側面部側に片寄った位置に設けられ、前記取出し口は、直線状の取出し口用折れ線と、該取出し口用折れ線の両端に繋がる取出し口用ミシン目とで構成される取出し口形成部によって囲まれた蓋部を有し、前記取出し口形成部は、前記取出し口用折れ線が前記上面部の中心に近い位置となるように配置されており、前記取出し口用ミシン目を破断することにより、前記蓋部が前記取出し口用折れ線をヒンジとして前記取出し口を開閉自在に閉塞することを特徴とする。
【０００８】
請求項２に記載の発明は、請求項１に記載の、前記取出し口形成部は、前記上面部の短側辺に沿って長い長方形状に形成されており、長方形状に形成された前記取出し口形成部の長辺部の長さは、前記上面部の短側辺の長さに対し５５〜８０％であり、前記取出し口形成部の短辺部の長さは、前記上面部の長側辺の長さに対し１０〜２０％となっており、また、前記取出し口形成部の長辺方向の中心線から前記取出し口形成部から離れた位置にある短側辺までの長さは、前記上面部の長側辺の長さに対して６５〜８５％となっていることを特徴とする。
【０００９】
請求項３に記載の発明は、請求項１又は２に記載の、前記蓋部には、両端が前記取出し口用折れ線と対向する位置の取出し口用ミシン目に繋がる孔形成用ミシン目が設けられており、前記孔形成用ミシン目を破断することにより、前記蓋部に前記衛生用紙を保持する保持部が形成されることを特徴とする。
【発明の効果】
【００１０】
請求項１に記載の衛生用紙収納箱によれば、上面部には、衛生用紙を取り出す取出し口が上面部の中心から正面部、背面部又は側面部の一方側に片寄った位置に設けられ、取出し口は、直線状の取出し口用折れ線と、該取出し口用折れ線の両端に繋がる取出し口用ミシン目とで構成される取出し口形成部によって囲まれた蓋部を有し、取出し口形成部は、折れ線が上面部の中心に近い位置となるように配置されているので、取出し口から衛生用紙を取り出すときに最も摩擦抵抗が大きくなる取出し口の部分が取出し口用折れ線の折り曲げ部となり、この折り曲げ部は箱体内側の部分（山折り部分）が紙厚によりやや丸みを帯びた形状となるため、最も摩擦抵抗が大きくなる取出し口の部分を平滑にすることができる。これにより、取出し口の縁部と取り出される衛生用紙との摩擦抵抗を低減することができ、衛生用紙を取出し口から円滑に取り出すことができる。
そして、取出し口に設けられた蓋部は、取出し口用折れ線をヒンジとして取出し口を開閉自在に閉塞するので、取出し口から箱体内部に塵や埃の異物が入り込むのを防止することができる。
【００１１】
請求項２に記載の衛生用紙収納箱によれば、取出し口形成部は、上面部の短側辺に沿って長い長方形状となっており、長方形状に形成された取出し口形成部の長辺部の長さは、上面の短側辺の長さに対し５５〜８０％であり、取出し口形成部の短辺部の長さは、上面の長側辺の長さに対し１０〜２０％となっているので、取出し口が取出し性に適したサイズとなり、取出し口にフィルムを設けないフィルムレス構造であっても、良好な取出し性を得ることができる。
また、取出し口形成部の長辺方向の中心線から取出し口形成部から離れた位置にある短側辺までの長さは、上面部の長側辺の長さに対して６５〜８５％となっているので、上記のようなサイズの取出し口を上面部の中心から外れた位置に設けた場合でも、良好な取出し性を得ることができる。また、取出し口を開口した後でも上面部に広範なスペースを確保することができるため、このスペースを商品、企業の広告宣伝等の情報要素表示用スペースとして利用することでき、使い勝手が良い。
【００１２】
請求項３に記載の衛生用紙収納箱によれば、取出し口形成部は略矩形状に形成されており、蓋部には、両端が取出し口用折れ線と対向する位置の取出し口用ミシン目に繋がる孔形成用ミシン目が設けられ、孔形成用ミシン目を破断することにより、蓋部に衛生用紙を保持する保持部が形成されるようになっているため、保持部の縁部にはミシン目を破断した破断跡が形成されており、この破断跡に衛生用紙が引っ掛かることで、保持部から露出した衛生用紙を保持部で確実に保持することができる。
また、蓋部に設けた保持部により、ポップアップした衛生用紙はすべて保持部内に集められるため、蓋部を閉じる際にポップアップした衛生用紙が蓋部と取出し口の縁部に挟まって蓋部が浮いてしまうようなことがなく、蓋部を上面部と面一の状態にしっかりと閉じることができる。また、保持部はポップアップした衛生用紙で塞がれているため、取出し口から箱体内部に塵や埃の異物が入り込むのを防止することができる。
【図面の簡単な説明】
【００１３】
【図１】本発明に係る衛生用紙収納箱の形態の一例を示す斜視図である。
【図２】本例の展開図である。
【図３】本例の平面図である。
【図４】本例の取出し口を開口した状態を示す斜視図である。
【図５】本例の取出し口から衛生用紙を取り出す状態を示す説明図である。
【図６】本例の使用状態を示す斜視図である。
【図７】保持部の変形例を示す展開図である。
【発明を実施するための形態】
【００１４】
以下、本発明に係る衛生用紙収納箱を実施するための形態を説明する。
図１乃至図６は本発明に係る衛生用紙収納箱の実施の形態の一例を示すもので、図１は本例の斜視図、図２は本例の展開図、図３は本例の平面図、図４は本例の取出し口から衛生用紙を取り出す状態を示す説明図、図５は本例の取出し口から衛生用紙を取り出す状態を示す説明図、図６は本例の使用状態を示す斜視図である。
【００１５】
本発明における箱体１は、長手方向の長さが２２０〜２５０ｍｍ、短手方向の長さが１００〜１２０ｍｍ、高さが４０〜１２０ｍｍの直方体状に形成された紙製の収納箱であり、箱体１内にポップアップ式に取り出せるように交互に折り畳まれて積層されたティシュペーパーやペーパータオル等の衛生用紙Ｐが収納されるものである。
【００１６】
本例の箱体１は、図２の展開図に示すように、折れ線２，３，４を介して図中上下方向に連接する長方形の長側面部５、上面部６、長側面部７、底面部８と、上面部６および底面部８の左右縁に折れ線９，１０を介して連接する短側面部１１，１２と、長側面部５，７の左右縁に折れ線１３，１４を介して連接する短側面部１１，１２の内側に折り込まれる折込み部１５，１６と、底面部８の下縁に折れ線１７を介して連接する長側面部５に接着される糊代部１８とを有している。
【００１７】
上面部６には、衛生用紙Ｐを取り出す取出し口１９が上面部６の中心Ｃからいずれか一方の短側面部１１，１２側に片寄った位置に設けられている。
取出し口１９は、直線状の取出し口用折れ線２０と取出し口用折れ線２０の両端に繋がる取出し口用ミシン目２１とで構成される取出し口形成部２２によって囲まれた蓋部２３を有しており、取出し口用ミシン目２１を破断することにより、蓋部２３が取出し口用折れ線２０をヒンジとして取出し口１９を開閉自在に閉塞するようになっている。
【００１８】
取出し口形成部２２は、取出し口用折れ線２０が上面部６の中心Ｃに近い位置となるように配置されている。これにより、取出し口１９から衛生用紙Ｐを取り出すと、蓋部２３が上面部６の中心Ｃ方向に向かって持ち上げられるようになっている。
また、本例では、取出し口用ミシン目２１が略コ字状となっており、取出し口形成部２２は、上面部６の短側辺方向に沿って長い長方形状となっている。
【００１９】
図３に示すように、本例の取出し口形成部２２は、長方形状に形成された取出し口形成部２２の長辺部２４の長さＬ１が、上面部６の短側辺２５の長さに対し５５〜８０％であり、取出し口形成部２２の短辺部２６の長さＬ２が、上面部６の長側辺２７の長さに対し１０〜２０％となっている。
取出し口形成部６の長辺部２４の長さＬ１が上面部６の短側辺２５の長さに対し５５％未満であり、短辺部２６の長さが上面部６の長側辺２７の長さに対し１０％未満であると、取出し口１９が小さくなりすぎてしまい、衛生用紙Ｐを取り出す際に、取出し口１９の縁部全体に大きな摩擦力が生じ、取出し口１９から衛生用紙Ｐが取り出し難くなる。一方、取出し口形成部６の長辺部２４の長さＬ１が上面部６の短側辺２５の長さに対し８０％を超え、短辺部２６の長さＬ２が上面部６の長側辺２７の長さに対し２０％を超えると、取出し口１９が大きくなりすぎてしまい、蓋部を開けたときに取出し口１９から塵や埃の異物が箱体１内部に入り込みやすく、また、ポップアップした衛生用紙Ｐが箱体１内部に落ち込んでしまうおそれがある。
【００２０】
また、本例の取出し口形成部２２は、取出し口形成部２２の長辺方向の中心線ＣＬから取出し口形成部２２から離れた位置にある短側辺２５までの長さＬ３が、上面部６の長側辺２７の長さに対して６５〜８５％となる位置に設けられている。
取出し口形成部２２の長辺方向の中心線ＣＬから取出し口形成部２２から離れた位置にある短側辺２５までの長さＬ３が、上面部６の長側辺２７の長さに対して６５％未満であると、衛生用紙Ｐを取り出す際に、中心Ｃに近い長辺部２４に加えて、中心Ｃから遠い長辺部２４にも摩擦力が生じてしまい、また、この中心Ｃから遠い長辺部２４はミシン目の破断跡となっているため、取出し口１９から衛生用紙Ｐが取り出し難く、摩擦により衛生用紙Ｐが削られ紙粉が発生するおそれがある。一方、取出し口形成部２２の長辺方向の中心線ＣＬから取出し口形成部２２から離れた位置にある短側辺２５までの長さＬ３が、上面部６の長側辺２７の長さに対して８５％を超えると、取出し口１９が中心Ｃから離れすぎてしまい、中心Ｃに近い長辺部２４に取出し口用折れ線２０を設けても、良好な取出し性が得られなくなるおそれがある。
【００２１】
蓋部２３には、両端が取出し口用折れ線２０と対向する位置の取出し口用ミシン目２１に繋がる孔形成用ミシン目２８が設けられており、孔形成用ミシン目２８を破断することにより、蓋部２３に衛生用紙Ｐを保持する保持部２９が形成されるようになっている。本例では、孔形成用ミシン目２８は、取出し口形成部２２の長辺方向に沿って横長の半楕円形状となっている。
【００２２】
図３に示すように、本例の保持部２９は、孔形成用ミシン目２８の一端から他端までの直線の長さＬ４が３〜８ｃｍ、孔形成用ミシン目２８と繋がる取出し口形成部２２の長辺部２４から孔形成用ミシン目２８の頂点までの長さＬ５が０．５〜２ｃｍとなっている。
孔形成用ミシン目２８の一端から他端までの直線の長さＬ４が３ｃｍ未満であり、孔形成用ミシン目２８と繋がる取出し口形成部２２の長辺部２４から孔形成用ミシン目２８の頂点までの長さＬ５が０.５ｃｍ未満であると、保持部２９が小さくなりすぎてしまい、ポップアップした衛生用紙Ｐをすべて保持部２９内に集めて蓋部２３を閉じるのが難しくなり、また、蓋部２３を閉じる際に衛生用紙Ｐが保持部２９の縁部に引っかかり衛生用紙Ｐが破れてしまうおそれがある。一方、孔形成用ミシン目２８の一端から他端までの直線の長さＬ４が８ｃｍを超え、孔形成用ミシン目２８と繋がる取出し口形成部２２の長辺部２４から孔形成用ミシン目２８の頂点までの長さＬ５が２ｃｍを超えると、保持部２９が大きくなりすぎてしまい、保持部２９から塵や埃の異物が箱体１内部に入り込み、また、ポップアップした衛生用紙Ｐが箱体１内部に落ち込んでしまうおそれがある。
【００２３】
底面部８には、底上げ用ミシン目３０と、ヒンジとなる底上げ用折れ線３１が設けられており、底上げ用ミシン目３０と底上げ用折れ線３１に囲まれた一対の底上げ部３２を有している。底上げ用ミシン目３０を破断して、底上げ用折れ線３１で一対の底上げ部３２を箱体１内に向けて折り曲げることにより、箱体１内に収納されている衛生用紙Ｐが残り少なくなった場合でも最後まで容易に取り出すことができる。
【００２４】
このような構成の展開構造を有する箱体１は、折れ線２，３，４，１７から長側面部５、上面部６、長側面部７、底面部、糊代部１８を山折りして、糊代部１８を長側面部５に接着し、また、長側面部５，７の左右縁に連接する折込み部１５，１６を折れ線１３，１４から山折りし、さらに上面部６および底面部８の左右縁に連接する短側面部１１，１２を折れ線９，１０から山折りして折込み部１５，１６の外側に重ね、短側面部１１，１２を接着することにより形成される。
【００２５】
この箱体１内には、短側面部１１，１２を接着する前に、ポップアップ式に取り出せるように交互に折り畳まれて積層された衛生用紙Ｐが収納され、短側面部１１，１２が接着されて衛生用紙収納箱が完成する（図１）。
【００２６】
このようにして完成した衛生用紙収納箱の開封にあっては、孔形成用ミシン目２８を押し切りして保持部２９を開口させ、保持部２９に指を挿入して蓋部２３を引き上げて、取出し口用ミシン目２１を切断して取出し口１９を開口させる（図４）。
【００２７】
このようにして開口した取出し口１９から箱体１内に収納されている衛生用紙Ｐを取り出す。このとき、本例では、取出し口１９が上面部６の中心Ｃから一方の短側面部１１，１２側に片寄った位置に設けられているため、取出し口１９から衛生用紙Ｐを取り出すとき、上面部６の中心Ｃに近い取出し口の部分Ｓにおいて、大きな負荷が衛生用紙Ｐに加わることになる（図５）。
【００２８】
本例では、この最も摩擦抵抗が大きくなる取出し口１９の部分Ｓが取出し口用折れ線２０の折り曲げ部分となり、この折り曲げ部分は箱体１内側の部分（山折り部分）が紙厚によりやや丸みを帯びた形状となるため、最も摩擦抵抗が大きくなる取出し口１９の部分Ｓを平滑にすることができる。これにより、取出し口１９の縁部と取り出される衛生用紙Ｐとの摩擦抵抗を低減することができ、衛生用紙Ｐを取出し口１９から円滑に取り出すことができる。
【００２９】
また、衛生用紙Ｐを取り出した後、ポップアップした衛生用紙Ｐを保持部２９内に集めて、蓋部２３で取出し口１９を閉塞する（図６）。このとき、ポップアップした衛生用紙Ｐはすべて保持部２９内に集められるため、蓋部２３を閉じる際にポップアップした衛生用紙Ｐが蓋部２３と取出し口１９の縁部に挟まって蓋部２３が浮いてしまうようなことがなく、蓋部２３を上面部５と面一の状態にしっかりと閉じることができる。また、保持部２９はポップアップした衛生用紙Ｐで塞がれているため、取出し口１９から箱体１内部に塵や埃の異物が入り込むのを防止することができる。
【００３０】
さらに、本例では、孔形成用ミシン目２８を破断することにより保持部２９が形成されるようになっており、この保持部２９は縁部がミシン目の破断跡となっているため、この破断跡に衛生用紙Ｐが引っ掛かり、保持部２９から露出した衛生用紙Ｐを保持部２９で確実に保持することができる。
【００３１】
次に、本例の保持部の変形例について、図７を参照して説明する。
変形例では、蓋部２３には、取出し口用折れ線２０と平行する直線状の保持部用折れ線３３と、保持部折れ線３３の両端から保持部用折れ線３３と対向する取出し口用ミシン目２１に向かって伸びる保持部用ミシン目３４によって囲まれたフラップ部３５が設けられており、保持部用ミシン目３４を破断して、フラップ部３５を保持部用折れ線３３で折り曲げることにより、蓋部２３に衛生用紙Ｐを保持する保持部３６が形成されるようになっている。
本変形例では、保持部用ミシン目３４は、保持部折れ線３３の両端から保持部用折れ線３３と対向する取出し口用ミシン目２１に向かって広幅に伸びる略ハ字状となっている。
【００３２】
このような変形例によれば、保持部３６から露出している衛生用紙Ｐを取り出す際に、衛生用紙Ｐが接する蓋部２３の部分が保持部用折れ線３３の折り曲げ部分となるため、衛生用紙Ｐが接する蓋部２３の部分を平滑にすることができる。また、本変形例では、保持部３６の両端部は、略ハ字状の保持部用ミシン目３４により、保持部用折れ線３３から広がるように形成されており、取出し口用ミシン目２１と保持部用ミシン目３４の成す角度が鈍角となっているため、衛生用紙Ｐが保持部３６の角部に引っ掛かるのを防止することができる。このように、変形例によれば、衛生用紙Ｐをより円滑に取り出すことができる。
【００３３】
１  箱体
２，３，４  折れ線
５，７  長側面部
６  上面部
８  底面部
９，１０  折れ線
１１，１２  短側面部
１３，１４  折れ線
１５，１６  折込み部
１７  折れ線
１８  糊代部
１９  取出し口
２０  取出し口用折れ線
２１  取出し口用ミシン目
２２  取出し口形成部
２３  蓋部
２４  長辺部
２５  短側辺
２６  短辺部
２７  長側辺
２８  孔形成用ミシン目
２９  保持部
３０  底上げ用ミシン目
３１  底上げ用折れ線
３２  底上げ部
３３  保持部用折れ線
３４  保持部用ミシン目
３５  フラップ部
３６  保持部
Ｐ  衛生用紙
Ｃ  中心
【図１】
2018203311.tif 000003
【図２】
2018203311.tif 000004
【図３】
2018203311.tif 000005
【図４】
2018203311.tif 000006
【図５】
2018203311.tif 000007
【図６】
2018203311.tif 000008
【図７】
2018203311.tif 000009